(57)【特許請求の範囲】
【請求項１】
清掃布を用いて印刷機のシリンダを清掃するシリンダ清掃装置であって、
清掃布供給ロール（５０）を着脱すると共に、前記シリンダ清掃装置に回転可能に支持される供給シャフト（３０）を備えており、
前記供給シャフト（３０）は、その外周に軸方向に前記清掃布供給ロール（５０）を挿入して装着すると共に、複数の車輪（３２）を有し、
前記複数の車輪（３２）は、前記供給シャフト（３０）の軸方向に沿って一列に整列し、前記軸方向に回転可能に設けられ、前記供給シャフト（３０）の外周面よりも内側に設けられた回転中心を有し、前記供給シャフト（３０）の外周面から一部が突出する周面を有し、前記清掃布供給ロール（５０）を前記供給シャフト（３０）に着脱するときに、前記清掃布供給ロールの厚紙コア（５４）に対して回転し、前記清掃布供給ロール（５０）を前記供給シャフト（３０）に装着するときに、前記清掃布供給ロールの厚紙コア（５４）を変形させて、前記清掃布供給ロール（５０）と前記供給シャフト（３０）との回転方向において前記厚紙コア（５４）を係合することを特徴とするシリンダ清掃装置。
【請求項２】
請求項１に記載のシリンダ清掃装置と、
前記清掃布により清掃されるシリンダとを有することを特徴とする印刷機。
【発明の詳細な説明】
【技術分野】
【０００１】
本発明は、印刷機のシリンダを清掃する装置に関する。
【背景技術】
【０００２】
印刷機に使用されるシリンダを清掃する作業において最も困難で時間がかかる仕事の一つは、シリンダを清掃するのに使用される清掃布を定期的に除去及び交換する必要があることである。このようなシリンダを清掃布を用いて清掃する装置には、例えば特許文献１にて開示されたものがある。
【０００３】
清掃布の供給が清掃布巻取りロールに与えられるシリンダ清掃装置においては、清掃布は供給ロールから引き出され、複数の爪又は螺子によって巻取りシャフトに固定される。清掃布を含む供給シャフトは、その後、印刷機のメインフレームにボルト付けされた二つの支持部材に搭載される。
【０００４】
供給ロール及び巻取りロールを支持部材に搭載又は除去するために、オペレータはまず供給ロールを支持部材に挿入し、その後、清掃布を巻取りロールに物理的に打ち込むか螺子止めすることによって、清掃布を巻取りロールに取り付ける。幾らかの清掃布を供給ロールから引き出して、清掃布を巻取りロールに取り付けて、その後、余分な清掃布を巻取りロールに巻き取って、その後、支持部材に巻取りロールを接続することによって、これは達成される。代替的に、供給ロールが支持部材に取り付けられる前に、清掃布は巻取りシャフトに取り付けられる。
【特許文献１】特開平１０−０００７６２号公報
【発明の開示】
【発明が解決しようとする課題】
【０００５】
このようなシリンダ清掃装置では、供給ロールを印刷機フレームに固定する効率的方式の需要が存在する。供給ロールを挿入したり除去したりする間は印刷機を休止させる必要があるためである。
【０００６】
本発明は、以下の説明から明らかなように、印刷機のオペレータがシリンダ清掃装置に対して清掃布供給ロールを挿入したり除去したりすることを容易とすることを目的としている。
【課題を解決するための手段】
【０００７】
本発明は、清掃布を用いて印刷機のシリンダを清掃するシリンダ清掃装置に関する。該シリンダ清掃装置は、
清掃布供給ロールを着脱すると共に、シリンダ清掃装置に回転可能に支持される供給シャフトを備えており、
供給シャフトは、その外周に軸方向に清掃布供給ロールを挿入して装着すると共に、複数の車輪を有し、
複数の車輪は、供給シャフトの軸方向に沿って一列に整列し、軸方向に回転可能に設けられ、供給シャフトの外周面よりも内側に設けられた回転中心を有し、供給シャフトの外周面から一部が突出する周面を有し、清掃布供給ロールを供給シャフトに着脱するときに、清掃布供給ロールの厚紙コアに対して回転し、清掃布供給ロールを供給シャフトに装着するときに、清掃布供給ロールの厚紙コアを変形させて、清掃布供給ロールと供給シャフトとの回転方向において厚紙コアを係合することを特徴とする。
【発明の効果】
【０００８】
本発明によれば、供給シャフトに設けられた複数の車輪が、該シャフトの清掃布供給ロールに対する軸方向挿入や除去に際して該シャフトの軸方向に回転することで、供給シャフトと清掃布供給ロールとの間の摩擦が低減し、該挿入及び除去を容易とすることができる。また、複数の車輪は、清掃布供給ロールのコアに対して該ロールとシャフトの回転方向において係合することで、清掃布供給ロールとともに供給シャフトを回転させる役割を果たすことも可能である。
【発明を実施するための最良の形態】
【０００９】
以下、本発明の好ましい実施例について図面を参照しながら説明する。
【実施例１】
【００１０】
図１をまず参照するに、シリンダ清掃装置１００が示されている。一般に、清掃装置１００は、清掃されるべきシリンダに清掃布を押し付けるための、清掃布巻取りシャフト２０、清掃布供給シャフト３０及び膨張可能な袋アッセンブリ４０を保持するフレーム１０を有する。刃など、膨張可能な袋４０以外のいかなる機構も、清掃されるべきシリンダに清掃布を接触させるのに使用可能であることが理解されるだろう。
【００１１】
特に、フレーム１０は、（図示しない）印刷機フレームに着脱可能に取り付け可能である。フレーム１０は、清掃布巻取りシャフト２０及び清掃布供給シャフト３０を含む剛体カートリッジ筐体を画定する。剛体カートリッジ筐体は２つの側部部材１６と支柱部材１８とを有する。側部部材１６は、巻取りシャフト２０を受け取るための第１の一対のソケット１２と、供給シャフト３０を受け取るための第２の一対のソケット１４とを有する。支柱部材１８は２つの側部部材１６に接続し、清掃布巻取りシャフト２０及び清掃布供給シャフト３０が印刷機フレームへの挿入前にフレーム１０に取り付けられることを可能にする。剛体カートリッジ筐体も膨張可能な袋アッセンブリ４０を支持する。このようにして、清掃布巻取りシャフト２０、清掃布供給シャフト３０及び膨張可能な袋アッセンブリ４０を支持するフレーム１０は、完全なユニットとしての印刷機フレームに挿脱される。フレーム１０は、アルミニウムや鋼鉄などシート材料を使用して構成される。但し、代替的実施例においては、フレーム１０は当業界で一般に既知の別の金属、合金又は合成物、成形プラスチックなどからなる。
【００１２】
巻取りシャフト２０は、シリンダの清掃に使用された後に清掃布を巻取るのに使用される。シャフト２０は、ヒンジ可能に搭載されたロッド２２と軸溝２４とを有する。図示の通り、ロッド２２は、ロッド２２が溝２４に挿入可能なように、溝２４に整列する。好ましくは、磁石がロッド２２を所定位置に固定するために溝２４に挿入される。但し、ラッチや接着剤など別の固定手段が使用されてもよい。巻取りシャフト２０は、好ましくは溝２４の延長部を含む矩形延長部２６も含む。延長部２６は、巻取りシャフト２０を回転する機能を有する清掃布進出機構２８に係合可能である。一般に、清掃布進出機構２８は、水力ピストンやモータ等のいくつもの手段によって作動可能な一方向クラッチと進出アームとを有する。清掃布進出機構２８は、ここで参照して結合される米国特許第５，１７６，０８０号やここで参照して結合される米国特許第５，４５０，７９２号など、既知の進出機構のいずれかであってもよい。
【００１３】
代替的実施例においては、巻取りシャフト９０は、シリンダを清掃するのに使用された後で、清掃布を巻取るのに使用される。図７に示されているように、シャフト９０は、支持部材９２と２つの先が分かれた部材９４とを有する。２つの先が分かれた部材９４は支持部材９２から突出し、互いに平行に延在する。巻取りシャフト９０も固定機構８０を含む。巻取りシャフトのための固定機構８０は、後で詳細に説明する。
【００１４】
供給シャフト３０は、その周囲（外周面）から突出する一以上の突起３２を含む。本実施例においては、突起３２は、供給シャフト３０の軸に沿って離間された３つの車輪の形状を有する。各車輪３２の円周（周面）は供給シャフト３０の外周面を超えて延びる。車輪３２は本実施例では軸方向に整列しているが、各車輪３２は供給シャフト３０の円周方向における異なる位置で離間可能であることが理解されるであろう。また、本発明の代替的実施例においては、三未満又は三よりも多い車輪３２が使用可能である。更に別の代替的実施例においては、突起は、シャフト３０の部分又は全長に延びる一以上の畝を含む。
【００１５】
供給シャフト３０と協働するのはバネが装填された固定機構３６、３８である。この機構は図４を参照して詳細に説明される。供給シャフト３０と協働するのは一連のナイロンが先端に付けられた螺子３４である。供給シャフト３０はフレーム１０の開口１４に挿入され、ナイロンが先端に付けられた螺子３４はシャフト３０の周りに固定され、これによって制動力を供給する。当業者に理解されるように、かかる制動力は清掃布が束になることを防止する。
【００１６】
組み立てられた装置１００を図２及び図３に示す。図示の通り、清掃布供給ロール５０は、供給シャフト３０に挿入可能である。一般に、供給ロール５０は、厚紙コア５４に巻かれた清掃布５２を有する。供給ロール５０を供給シャフト３０に挿入する手順は以下に詳細に説明される。
【００１７】
代替的実施例においては、供給シャフト３０及び供給ロール５０のコアはキー配列において互いにかみ合う。例えば、ある実施例においては、シャフト３０は畝を含み、コアは噛み合い溝を含む。
【００１８】
以下、ソケット１４のクローズアップを、図４を参照して説明する。図示の通り、固定機構３６、３８は、ソケット１４を介して延びる機構３８に共に固定される。更に、固定部材３８は、供給シャフト３０の一端を受け取るカップ状又は中空の面を含む。また、Ｕ字形の支持部材６０がフレーム１０の内面に固定されているので、固定機構３６がフレーム１０から引き離されると機構３８はソケット１４から部分的に引き出される。以下に詳細に説明されるように、機構３６が解放されると、（図示しない）バネは機構３８をソケット１４に戻すように、及び、機構３６をフレーム１０に戻すように引っ張る。
【００１９】
図５は、本発明の一実施例による巻取りシャフトを所定位置に固定する機構を示す。図示の通り、楔としてここで形成された延長部７０は、螺子７２又はリベットによって、巻取りシャフト２０の端部に回転可能に固定されている。固定機構は、それに切り欠けられた溝７６を含むロッド７４も有する。ロッド７４は、巻取りシャフト２０がフレーム１０に挿入されると楔７０が回転して溝７６に係合可能なような位置に、フレーム端部又は（図示しない）印刷機フレームのどちらかに固定される。楔７０と溝７６との係合はシャフト２０がフレーム１０を介して軸方向に退避することを防止する。
【００２０】
巻取りシャフトを所定位置に固定する代替的機構を、図６ａ及び６ｂを参照して、以下に説明する。巻取りシャフト固定機構８０は、巻取りシャフト２０の一端に取り付けられた回転可能なスリーブ８２を有する。図示の通り、スリーブはソケット１２よりも大きな径を有する。更に、スリーブ８２は、ソケット１２の外部螺子山と係合可能なその内面に螺子山部を含む。巻取りシャフト２０の延長部は、シャフト２０自身よりも狭いが、スリーブ８２の中心の孔を介して延在する。
【００２１】
固定機構８０は、スリーブを介して延びる巻取りシャフトの延長部に調整可能に固定されたノブ８８を更に有する。従って、ノブ８８は、スリーブ８２を巻取りシャフト２０に固定し、スリーブ８２が延長部上で回転することを可能にする。
【００２２】
動作において、清掃布供給ロール５０は、その内側に供給シャフト３０が軸方向に挿入されるように該供給シャフト３０の外周に装着される。また、供給ロール５０が消費され、使用済み清掃布５２が完全に巻取シャフト２０に巻かれると、該供給シャフト３０上には厚紙コア５４のみが残り、この厚紙コア５４は除去される。かかる挿入及び除去は、車輪３２が供給ロール５０の厚紙コア５４に対して軸方向に回転し、比較的低摩擦力を発するので、比較的容易である。また、車輪３２が、比較的軟らかい厚紙コア５４を変形させることが認められた。
【００２３】
清掃布供給ロール５０が供給シャフト３０に一旦装着されると、供給シャフト３０はフレーム１０に挿入される。固定機構３６、３８を有しないソケット１４に一端を挿入することによって、これは実行される。供給シャフト３０の他端は固定機構３６、３８をまず供給シャフト３０及びフレーム１０から引き離すことによって所定位置に固定される。供給シャフト３０は、その後、Ｕ字形支持部材６０に載置される。供給シャフト３０が所定位置にあると、固定機構３６、３８は、その後、解放されてバネによって供給シャフト３０の方に引き戻される。機構３８の中空カップ状端部は、このようにして、供給シャフト３０の端部と係合し、これによってそれを所定位置に固定する。Ｕ字形支持部材６０は、厚紙コア５４に隣接することによって、供給ロール５０の軸方向の運動を限定するという更なる恩恵を与えることを留意しなければならない。
【００２４】
巻取りシャフト２０はフレーム１０にも固定されなければならない。シャフトをフレーム１０に固定するために、巻取りシャフト２０は、スリーブ８２がソケット１２に隣接するまで、ソケット１２を介して挿入される。スリーブ８２を回転することによって、スリーブの螺子山部８４はソケット８６の螺子山部と係合し、これによって巻取りシャフトをソケット１２を介して動作位置まで引き込む。スリーブ８２とソケット１２との係合は巻取りシャフト２０を所定位置に固定し、シャフト２０の回転を進出機構２８の作動又はノブ８８の手動回転のいずれかを介して可能にすることを留意しなければならない。巻取りシャフトが所定位置に固定されると、清掃布５２は装置１００を介して巻取り可能になり、巻取りシャフト２０に固定される。
【００２５】
清掃布５２を、装置１００を介して巻き取るために、それは供給ロール５０から引き離され、パッド４０の周りにかけられ、巻取りシャフト２０に固定される。清掃布５２をロール５０から引き出すとロール５０及び供給シャフト３０が共に回転することを留意する必要がある。車輪３２は、ほとんど軸方向に摩擦力を有しないが、厚紙コア５４に対して供給ロール５０及び供給シャフト３０の回転方向にて係合する端部を有して比較的大きな半径方向又は角方向の摩擦力を与える。従って、厚紙コア５４（つまりはロール５０）は、供給シャフト３０と共に回転することなしに回転することができない。
【００２６】
清掃布５２を巻取りシャフト２０に固定するために、まず、ロッド２２を溝２４から持ち上げる。清掃布５２は、その後、ロッド２２と巻取りシャフト２０との間のロッド２２の下に挿入される。ロッド２２は、その後、溝２４に再挿入され、これによって清掃布５２をロッド２２と巻取りシャフト２０との間で固定する。磁石はロッド２２を溝に保持するのを補助する。次に、清掃布５２は、巻取りシャフト２０をほぼ一回転回転することによって溝２４から引き出すことから防止される。かかる回転は、巻取りシャフト２０を掴むか又はノブ８８を回転するかのどちらかによって手動で実行可能である。
【００２７】
供給ロール５０が消費され、使用済み清掃布５２が完全に巻取りシャフト２０に巻かれると、本発明は使用済み布５２の簡単に除去することができる。第１に、巻取りシャフト２０は装置から固定解除される。図５に示す楔７０をロッド７４との係合を解除して回転するか、螺子山が形成されたソケット１２からの図６ａに示すスリーブ８２の螺子止めを解除するかによって、これは実行される。第２に、巻取りシャフト２０はソケット１２から数インチだけ単純に引き出される。巻取りシャフト２０をフレーム１０から引き出すことによって、使用済み布５２は、フレーム１０及び／又はソケット１２によって、布５２上の力の印加によって、自動的に巻取りシャフト２０から離れるようにされる。巻取りシャフト２０をフレーム１０から数インチ引き出すと、使用済み布５２は、固定機構と反対の巻取りシャフト２０の端部から解放される。第３に、印刷機のオペレータは、軸方向に巻取りシャフト２０から消費された布５２を単純に引っ張る。使用済み清掃布を解くのに時間がかからないので、かかる使用済み清掃布５２の除去が従来技術に対する改良を表すことが当業者には理解されるであろう。
【００２８】
巻取りシャフト９０を使用する代替的実施例においては、供給ロール３０から引き離された清掃布が、巻取りシャフト９０の支持部材９２から突出する２つの先が分かれた部材９４の間に挿入される。２つの先が分かれた部材９４は、清掃布を部材９４の間で機械的にロック又は挟むことによって清掃布を保持する。清掃布が、先が分かれた部材９４の間の空間から引き出されることから防止するために、巻取りシャフトは、その後、ほぼ一回転だけ回転される。かかる回転は、巻取りロール９０を掴むかノブ８８を回転するかのどちらかによって、手動で実行可能である。巻取りシャフト９０は巻取りシャフト２０に対して上述したのと同一方法でフレームに固定される。
【００２９】
本発明を詳細に説明したが、当業者は本発明の変形をその本旨を変更せずになすことが可能であることを理解するであろう。従って、本発明の範囲は、図示及び説明された特定の実施例に限定されることを意図するものではない。むしろ本発明の範囲は添付のクレームとその均等物によって決定されることを意図する。
【図面の簡単な説明】
【００３０】
【図１】本発明による一実施例の展開図である。
【図２】図１の組み立てられた実施例の側部斜視図である。
【図３】図１及び図２の組み立てられた実施例の別の側部斜視図であって部分断面図である。
【図４】図１乃至３の実施例の部分拡大斜視図である。
【図５】一実施例による巻取りシャフト保持機構の展開図である。
【図６】図６ａ及び図６ｂは、それぞれ、代替的実施例による巻取りシャフト保持機構の上部断面及び側部斜視図である。
【図７】２つの先が分かれた巻取りシャフトの斜視図である。
【符号の説明】
【００３１】
２０  巻取りシャフト
３０  清掃布供給シャフト
３２  突起（車輪）
５０  清掃布供給ロール
５２  清掃布
５４  厚紙コア
１００  シリンダ清掃装置
【図１】
0004656662.tif 000002
【図２】
0004656662.tif 000003
【図３】
0004656662.tif 000004
【図４】
0004656662.tif 000005
【図５】
0004656662.tif 000006
【図６】
0004656662.tif 000007
【図７】
0004656662.tif 000008